(57)【要約】      （修正有）【課題】電子部品の冷却構造に関し、より詳細には半導体等の電子部品上に設置したヒートシンクに振動源を配置し、振動源の振動によりヒートシンクに付着する埃を防止することにより冷却効率を低下させることのない冷却構造を提供する。【解決手段】回路基板１００上の電子部品２００の上面に弾性を有する熱伝導シート３００を介してヒートシンク４００を配置し、このヒートシンク上に配置したスピーカ６００を可聴周波数を超える周波数で駆動してヒートシンクに付着する埃を舞い上げ、この埃を近傍に配置した冷却ファン５００で吹き払うよう構成する。【選択図】図１
2006332377.tif 000002
【特許請求の範囲】
【請求項１】
回路基板上に搭載された発熱する部品の上面に弾性に富み熱伝導性を有する熱伝導シートを介して配置されたヒートシンクで構成する冷却構造であって、
前記ヒートシンク上にスピーカを配置し、可聴周波数を超える周波数で駆動した該スピーカからの振動により該ヒートシンクに付着する埃を舞い上げ、近傍に配置した冷却ファンにより該埃を吹き払う
ことを特徴とする冷却構造。
【請求項２】
前記スピーカは、可聴周波数を超える所定の周波数範囲でスイープして駆動する
ことを特徴とする請求項１記載の冷却構造。
【請求項３】
回路基板上に搭載された発熱する部品の上面に弾性に富み熱伝導性を有する熱伝導シートを介して配置されたヒートシンクで構成する冷却構造であって、
前記ヒートシンク上に偏芯モーターを配置し、該偏芯モーターの駆動による振動により該ヒートシンクに付着する埃を舞い上げ、近傍に配置した冷却ファンにより該埃を吹き払う
ことを特徴とする冷却構造。
【請求項４】
回路基板上に搭載された発熱する部品の上面に弾性に富み熱伝導性を有する熱伝導シートを介して配置されたヒートシンクで構成する冷却構造であって、
前記ヒートシンク上に電歪素子を配置し、該電歪素子の駆動による振動により該ヒートシンクに付着する埃を舞い上げ、近傍に配置した冷却ファンにより該埃を吹き払う
ことを特徴とする冷却構造。
【請求項５】
回路基板上に搭載された発熱する部品の上面に弾性に富み熱伝導性を有する熱伝導シートを介して配置されたヒートシンクで構成する冷却構造であって、
前記ヒートシンク上に磁歪素子を配置し、該磁歪素子の駆動による振動により該ヒートシンクに付着する埃を舞い上げ、近傍に配置した冷却ファンにより該埃を吹き払う
ことを特徴とする冷却構造。
【発明の詳細な説明】
【技術分野】
【０００１】
本発明は電子部品の冷却構造に関し、より詳細には半導体等の電子部品上に設置したヒートシンクに振動源を配置し、振動源の振動によりヒートシンクに付着する埃を防止することにより冷却効率を低下させることのない冷却構造に関する。
【背景技術】
【０００２】
近年のコンピュータは、高速で多量のデータ処理が行われ、処理性能の向上は著しいものがある。これにともなってＣＰＵ（Central Processing Unit）やＧＰＵ（Graphics Processing Unit）等は回路負荷が重くなり相対的に発熱量も増大してきている。これらの電子部品の冷却にはヒートシンクが多く用いられ、発生した熱をヒートシンクを介して空気または液体に効率よく熱伝達させることにより放熱し、冷却している。ＰＣやワークステーション等ではコストおよび設置面積の関係から空冷によるヒートシンクが用いられることが一般的である。
【０００３】
ヒートシンクの性能を示すものとして熱抵抗値と圧力損失とがある。熱抵抗値は熱の伝わりにくさを表し、圧力損失はヒートシンクを通り抜ける流体の抵抗を表し、共にこの値が低い程ヒートシンクとしての性能が高いことになる。空冷のヒートシンクは、放熱フィンを有し空気との接触面積を多くすることで熱抵抗値を下げることが行われている。また、ヒートシンクに冷却ファンを組み合わせて強制的に空気の流れを良くして圧力損失を下げることも行われている。しかし、ヒートシンクを取り付けた当初は設計通りの冷却性能を有していても、時間を経て放熱フィンに埃が堆積すると熱抵抗が大きくなり冷却性能は低下して来る。
【０００４】
冷却ファンから発生する音を無くすために、ケーシング内にスピーカを配置し、５Ｈｚ〜１２Ｈｚの周波数でスピーカを振動させ、この振動で空気を対流し冷却を行う提案がされている。また、圧電素子に振動板を連結し、同様に空気振動を発生させて冷却を行うことも記載されている（例えば、特許文献１）。
【特許文献１】特許第３３５９４８０号公報
【発明の開示】
【発明が解決しようとする課題】
【０００５】
上記に述べたように、時間の経過とともに埃が放熱フィンに堆積すると熱抵抗が増大し冷却効率が低下するという問題がある。冷却ファンを併用することで強制的に空気の流れが作られ埃の堆積も少なくなることが考えられるが、総ての放熱フィンに冷却ファンの空気を当てることは現実には困難であり埃の堆積を防止できるものではない。
【０００６】
特許文献１に提案された方法は、冷却ファンのノイズの防止を目的としており積極的に埃の堆積を防止するものではない。このため、１０Ｈｚ前後の周波数の振動で埃の堆積を防止することは困難と考えられる。
【０００７】
本発明は、空気または冷却構造を振動させて放熱フィンに堆積しようとする埃を舞い上げ、冷却ファンにより排除する冷却構造を提供するものである。
【課題を解決するための手段】
【０００８】
本発明の冷却構造は、以下のように構成される。
（１）第１の発明
第１の発明は、ヒートシンク上にスピーカを配置して可聴周波数を超える周波数で駆動し、冷却ファンにより埃を排除する冷却構造である。
【０００９】
基本とする冷却構造は、回路基板にはＬＳＩ等の発熱する部品が搭載され、その上面に弾性に富んだ熱伝導性を有する熱伝導シートを配置し、さらにその上にヒートシンクを配置する構造である。
【００１０】
上記の冷却構造を構成するヒートシンク上にスピーカを配置し、このスピーカを可聴周波数を超える周波数（１５ＫＨｚ以上）で駆動することによって得られる振動でヒートシンクに付着する埃を舞い上げ、この冷却構造の近傍に配置した冷却ファンにより舞い上げた埃を吹き払う冷却構造である。
【００１１】
熱伝導シートは、弾力性に富むためスピーカのフレームからヒートシンクに伝わる直接振動を吸収し、振動による電子部品の障害を起こすことはない。
【００１２】
第１の発明によれば、ヒートシンクの放熱フィンに付着しようとする埃をスピーカの振動によって除去でき、冷却効率を低下させることがない。
（２）第２の発明
第２の発明は、スピーカを駆動する周波数をスイープして冷却構造の共振を得る発明である。
【００１３】
基本の冷却構造とヒートシンク上のスピーカの配置、冷却構造の近傍に冷却ファンを配置する構造は第１の発明と同一である。スピーカを駆動する周波数は可聴周波数を超える周波数であって、その周波数内で所定の範囲の周波数をスイープするものである。
【００１４】
第２の発明によれば、周波数のスイープにより冷却構造の一部が高調波を含んだ周波数により共振が発生して振動が大きくなり、埃を舞い上げる効果を大きくすることができる。
（３）第３の発明
第３の発明は、ヒートシンク上に配置した振動源が偏芯モーターであることを特徴とする冷却構造である。
【００１５】
基本の冷却構造と、この冷却構造の近傍に冷却ファンを配置する構造は第１の発明と同一である。ヒートシンク上には偏芯モーターを配置し、この偏芯モーターを駆動することによって得られる振動をヒートシンクに伝えることによりヒートシンクに付着する埃を舞い上げ、この埃を冷却ファンにより吹き払う冷却構造である。第１の発明と同様、偏芯モーターの振動は弾力性に富む熱伝導シートにより吸収されて電子部品が振動による障害を起こすことはない。
【００１６】
第３の発明によれば、ヒートシンクに付着しようとする埃を偏芯モーターの振動によって除去でき、冷却効率を低下させることがない。
（４）第４の発明
第４の発明は、ヒートシンク上に配置した振動源が電歪素子であることを特徴とする冷却構造である。
【００１７】
基本の冷却構造と、この冷却構造の近傍に冷却ファンを配置する構造は第１の発明と同一である。ヒートシンク上には例えば圧電セラミックを用いた電歪素子を配置し、この電歪素子を駆動することによって得られる振動によりヒートシンクに付着する埃を舞い上げ、この埃を冷却ファンにより吹き払う冷却構造である。第１の発明と同様、電歪素子の振動は弾力性に富む熱伝導シートにより吸収されて電子部品が振動よる障害を起こすことはない。
【００１８】
第４の発明によれば、ヒートシンクの放熱フィンに付着しようとする埃を電歪素子の振動によって吹き払うことができ、冷却効率を低下させることがない。
（５）第５の発明
第５の発明は、ヒートシンク上に配置した振動源が磁歪素子であることを特徴とする冷却構造である。
【００１９】
基本の冷却構造と、この冷却構造の近傍に冷却ファンを配置する構造は第１の発明と同一である。ヒートシンク上には強磁性体金属とコイルから成る磁歪素子を配置し、この磁歪素子を駆動することによって得られる振動によりヒートシンクに付着する埃を舞い上げ、冷却ファンにより舞い上げた埃を吹き払う冷却構造である。第１の発明と同様、磁歪素子の振動は弾力性に富む熱伝導シートにより吸収されて電子部品に殆ど伝わることがない。
【００２０】
第５の発明によれば、ヒートシンクの放熱フィンに付着しようとする埃を磁歪素子の振動によって吹き払うことができ、冷却効率を低下させることがない。
【発明の効果】
【００２１】
第１の発明により、ヒートシンク上に配置したスピーカにより空気振動とスピーカのフレームからの直接振動によりヒートシンクの放熱フィンに付着する埃を冷却ファンにより吹き払うことができ、当初の冷却効率を保つことができる。
【００２２】
第２の発明により、周波数をスイープさせることによりヒートシンクに共振を起こさせ、振動を大きくできるので付着する埃を除去する効果を大きくすることができる。
【００２３】
第３の発明により、振動源を偏芯モーターとしたため簡単な駆動回路で振動を発生でき、効率のよい埃の除去ができる。
【００２４】
第４の発明により、振動源を電歪素子としたためコンパクトでありながら効率のよい埃の除去ができる。
【００２５】
第５の発明により、振動源を磁歪素子としたためコンパクトでありながら効率のよい埃の除去ができる。
【発明を実施するための最良の形態】
【００２６】
本発明の実施例を図１から図４を用いて説明する。
【００２７】
図１と図２により第１の発明および第２の発明の実施例を説明する。図１は冷却構造を説明する図で、図１の上の図は冷却構造を上部から見た図を示し、下の図は側面から見た図を示している。回路基板１００には発熱する部品であるＬＳＩ２００が搭載され、そのＬＳＩ２００の上面に熱伝導シート３００を配置し、更にその上にヒートシンク４００を配置している。熱伝導シート３００は、弾力に富み熱伝導性の高い例えばシリコンゴムから成り、両面に接着層を有するものである。ヒートシンク４００は、空気との接触面積を大きくして放熱効果を高めるための放熱フィン４１０を有し、材質は例えばアルミニュムである。
【００２８】
上記のヒートシンク４００上に冷却ファン５００およびスピーカ６００を配置している。冷却ファン５００により作られた風は、下の図に示されるように放熱フィン４１０の間を通過する構造としている。スピーカ６００はヒートシンク４００にスピーカ６００のフレームで固定されており、後述する駆動回路によって可聴周波数以上（１５ＫＨｚ以
上）の周波数で駆動している。スピーカ６００からの振動は、スピーカ６００の振動板か
ら空気振動が、そしてスピーカ６００のフレームからは直接振動がヒートシンク４００に伝わる。この振動によりヒートシンク４００の放熱フィン４１０に付着しようとする埃は
舞い上がり、舞い上がった埃は冷却ファン５００によって吹き払われて堆積が防止され
る。
【００２９】
ヒートシンク４００に伝わる振動は熱伝導シート３００により吸収され、ＬＳＩ２００には殆ど伝わらない（スピーカ６００の振動板で作られる空気振動は伝わるが、大きな振動でなく例えばＬＳＩ２００の接続箇所等に損傷を与えるものではない）。
【００３０】
スピーカ６００を駆動する電気信号を断続したり、１０Ｈｚ以下と１５ＫＨｚ以上の２種類以上の周波数の電気信号を合成した周波数で駆動するようにしてもよい。
【００３１】
図２は、第２の発明のスピーカ６００の駆動回路の例を示す図である。発振回路６１０は、例えば水晶発振回路で正弦波形の電気信号を得る。発振した正弦波信号はアナデジ変換回路６２０に入力されてデジタル信号に変換される。続いて変換されたデジタル信号は分周回路６３０で周波数を分周し、デジアナ変換回路６４０でアナログ信号に変換して増幅回路６５０で増幅し、スピーカ６００を駆動する。制御回路６６０は、分周回路６３０および増幅回路６５０に制御信号を送り、所定の周波数範囲（例えば、１５ＫＨｚ〜２５ＫＨｚ）でスイープするアナログ信号を得てスピーカ６００を駆動する。
【００３２】
次に図３により、第３の発明の実施例を説明する。図１と異なる箇所は、図１のスピーカ６００に替えて偏芯モーター７００をヒートシンク４００に設置しており他は同一である。偏芯モーター７００は図示しない電源の供給により回転して振動を発生する。この振動はヒートシンク４００に伝わり、放熱フィン４１０に付着しようとする埃が舞い上がって冷却ファン５００によって吹き払われ、埃の堆積が防止される。第１の発明と同様に、ヒートシンク４００に伝えられた振動は熱伝導シート３００により吸収され、振動によるＬＳＩ２００の障害が発生することはない。
【００３３】
続いて図４により、第４の発明の実施例を説明する。図３の振動源を偏芯モーター７００に替えて電歪素子８００を用いることで他の構造および作用は図３と同一である。
【００３４】
また、図４の電歪素子８００を磁歪素子に代えることで第５の発明となる。
【００３５】
以上の実施例に関し、さらに以下の付記を開示する。
（付記１）
回路基板上に搭載された発熱する部品の上面に弾性に富み熱伝導性を有する熱伝導シートを介して配置されたヒートシンクで構成する冷却構造であって、
前記ヒートシンク上にスピーカを配置し、可聴周波数を超える周波数で駆動した該スピーカからの振動により該ヒートシンクに付着する埃を舞い上げ、近傍に配置した冷却ファンにより該埃を吹き払う
ことを特徴とする冷却構造。
（付記２）
前記スピーカは、可聴周波数を超える所定の周波数範囲でスイープして駆動する
ことを特徴とする付記１記載の冷却構造。
（付記３）
回路基板上に搭載された発熱する部品の上面に弾性に富み熱伝導性を有する熱伝導シートを介して配置されたヒートシンクで構成する冷却構造であって、
前記ヒートシンク上に偏芯モーターを配置し、該偏芯モーターの駆動による振動により該ヒートシンクに付着する埃を舞い上げ、近傍に配置した冷却ファンにより該埃を吹き払う
ことを特徴とする冷却構造。
（付記４）
回路基板上に搭載された発熱する部品の上面に弾性に富み熱伝導性を有する熱伝導シートを介して配置されたヒートシンクで構成する冷却構造であって、
前記ヒートシンク上に電歪素子を配置し、該電歪素子の駆動による振動により該ヒートシンクに付着する埃を舞い上げ、近傍に配置した冷却ファンにより該埃を吹き払う
ことを特徴とする冷却構造。
（付記５）
回路基板上に搭載された発熱する部品の上面に弾性に富み熱伝導性を有する熱伝導シートを介して配置されたヒートシンクで構成する冷却構造であって、
前記ヒートシンク上に磁歪素子を配置し、該磁歪素子の駆動による振動により該ヒートシンクに付着する埃を舞い上げ、近傍に配置した冷却ファンにより該埃を吹き払う
ことを特徴とする冷却構造。
（付記６）
前記スピーカは、所定の可聴周波数を超える周波数範囲で断続して駆動する
ことを特徴とする付記１記載の冷却構造。
（付記７）
前記スピーカは、１０Ｈｚ以下と１５ＫＨｚ以上の２種類以上の周波数で駆動する
ことを特徴とする付記１記載の冷却構造。
【図面の簡単な説明】
【００３６】
【図１】第１および第２の発明の冷却構造例である。
【図２】第２の発明のスピーカ駆動回路例である。
【図３】第３の発明の冷却構造例である。
【図４】第４の発明の冷却構造例である。
【符号の説明】
【００３７】
１００    回路基板
２００    ＬＳＩ
３００    熱伝導シート
４００    ヒートシンク
４１０    放熱フィン
５００    冷却ファン
６００    スピーカ
６１０    発振回路
６２０    アナデジ変換回路
６３０    分周回路
６４０    デジアナ変換回路
６５０    増幅回路
６６０    制御回路
７００    偏芯モーター
８００    電歪素子
【図１】
2006332377.tif 000003
【図２】
2006332377.tif 000004
【図３】
2006332377.tif 000005
【図４】
2006332377.tif 000006